(57)【特許請求の範囲】
【請求項１】
水路を横切るように設置したバースクリーンの背面側に、該バースクリーンの全幅に亘って清掃できるよう複数の洗浄ノズルを備えた洗浄装置を配設し、かつ該洗浄装置をバースクリーンの長さ方向全長に沿って移動可能に構成したことを特徴とするバースクリーンの自動洗浄装置。
【請求項２】
洗浄装置を、給水可能とした移動体に、バースクリーンの背面側に洗浄水を噴射するようにした複数の洗浄ノズルを配設して構成したことを特徴とする請求項１記載のバースクリーンの自動洗浄装置。
【請求項３】
洗浄装置に自走装置を備え、バースクリーンの背面側をバースクリーンの全長に亘って往復移動するように構成したことを特徴とする請求項１又は２記載のバースクリーンの自動洗浄装置。
【請求項４】
洗浄装置の自走に追随して給水できるよう給水ホースを配設したことを特徴とする請求項１、２又は３記載のバースクリーンの自動洗浄装置。
【発明の詳細な説明】
【技術分野】
【０００１】
本発明は、バースクリーンの自動洗浄装置に関し、特に、バースクリーンの清掃作業を無人化して作業環境の改善を図るとともに、バースクリーンに近い位置で洗浄することでより確実な洗浄を行えるようにしたバースクリーンの自動洗浄装置に関するものである。
【背景技術】
【０００２】
従来、下水処理場やポンプ場に設置される沈砂池には、該沈砂池に流入する下水中のゴミを捕捉し、掻き揚げ除去するための自動除塵機Ａが設置されている。この自動除塵機Ａとしては、特に限定されるものではないが、例えば、図３に示すように、沈砂池の水路を横切るようにバースクリーン１を設置し、かつ該バースクリーン１に沿ってレーキ装置２を運行して該バースクリーン１に捕捉されるゴミ８を掻き揚げ排出するように構成している。
【０００３】
ところで、レーキ装置２のレーキとバースクリーン１との間には、製作誤差や摩耗・摩擦抵抗を考慮して、５〜１０ｍｍの隙間を設けてあるため、バースクリーン表面の小さなゴミ８をかき残すことになる。
この掻き残しゴミが、見た目の悪さや、異臭及び害虫の発生源となるため、周辺環境の悪化を招いている。特に、近年では、雨水沈砂池では、沈砂池水路の残り水をできる限り少なくし、異臭等の発生を抑制する取り組み(いわゆる、雨水沈砂池のドライ化)を行っており、その一環としてバースクリーンに残った小さなゴミをも完全に除去するために、図４に示すように、設置フロア上と水路底部の両方から人手作業により清掃している。
【０００４】
バースクリーンの清掃は、設置フロア上に作業者Ｍが乗り、かつ洗浄ノズルＮを手に持ち、洗浄水をバースクリーン１に向かって噴射して行うようにているが、バースクリーンの全面に亘る清掃には時間がかかるとともに、バースクリーン１にゴミ８が残ることがあり、さらにこのバースクリーンに残るものは、小さなゴミ以外にバースクリーンの側面等に付着する油脂分９もある。したがって、スクリーン目の間を確実に狙って清掃する必要があるが、作業者位置からバースクリーンまで距離があるため、スクリーン目の間を確実に狙って清掃することが難しく、確実な清掃を行えないという問題があった。
【０００５】
また、水路底部の清掃は、沈砂池内の下水を完全に排水した後、汚泥などが堆積した水路底まで作業者Ｍが降りて行うため、作業性及び作業環境が悪く、さらにはバースクリーンの長さが長くなると、設置フロア上から行う清掃作業範囲と水路底部から行う清掃作業範囲とが互いに重ならない場合があり、このように上下方向からの清掃作業範囲の重ならない部分のバースクリーンの清掃は行えないという問題もあった。
さらには、近年、現場技術者が減少しているので、細かなところまでメンテナンスの手が回らないという問題もあった。
【発明の開示】
【発明が解決しようとする課題】
【０００６】
本発明は、バースクリーンの洗浄において有する問題点に鑑み、バースクリーンの清掃作業を省力化、無人化できるようにしたバースクリーンの自動洗浄装置を提供することを目的とする。
【課題を解決するための手段】
【０００７】
上記目的を達成するため、本発明のバースクリーンの自動洗浄装置は、水路を横切るように設置したバースクリーンの背面側に、該バースクリーンの全幅に亘って清掃できるよう複数の洗浄ノズルを備えた洗浄装置を配設し、かつ該洗浄装置をバースクリーンの長さ方向全長に沿って移動可能に構成したことを特徴とする。
【０００８】
この場合において、洗浄装置を、給水可能とした移動体に、バースクリーンの背面側に洗浄水を噴射するようにした複数の洗浄ノズルを配設して構成することができる。
【０００９】
また、洗浄装置に自走装置を備え、バースクリーンの背面側をバースクリーンの全長に亘って往復移動するように構成することができる。
【００１０】
また、洗浄装置の自走に追随して給水できるよう給水ホースを配設することができる。
【発明の効果】
【００１１】
本発明のバースクリーンの自動洗浄装置によれば、水路を横切るように設置したバースクリーンの背面側に、該バースクリーンの全幅に亘って清掃できるよう複数の洗浄ノズルを備えた洗浄装置を配設し、かつ該洗浄装置をバースクリーンの長さ方向全長に沿って移動可能に構成することにより、これまで人手で行っていたバースクリーンの清掃作業の無人化を図ることができるので、作業者が水路底部へ降りる必要がなく、作業環境の改善を図ることができるとともに、バースクリーンに近い位置で洗浄を行えるため、確実に安全に清掃することができる。
【００１２】
また、洗浄装置を、給水可能とした移動体に、バースクリーンの背面側に洗浄水を噴射するようにした複数の洗浄ノズルを配設して構成することにより、構成が簡単で安価に提供できるとともに、故障が少なく、かつ既設のバースクリーンにも容易に設置することができる。
【００１３】
また、洗浄装置に自走装置を備え、バースクリーンの背面側をバースクリーンの全長に亘って往復移動するように構成することにより、長いバースクリーンにおいてもバースクリーンの清掃が自動的に、かつ確実に行うことができる。
【００１４】
また、洗浄装置の自走に追随して給水できるよう給水ホースを配設することにより、洗浄水だけでなく、温水の供給も可能となるので、該温水にて付着油質分も落ちやすくなりより確実な洗浄を行うことができる。
【発明を実施するための最良の形態】
【００１５】
以下、本発明のバースクリーンの自動洗浄装置の実施の形態を、図面に基づいて説明する。
【実施例１】
【００１６】
図１〜図２に、本発明のバースクリーンの自動洗浄装置の一実施例を示す。
下水処理場やポンプ場に設置される沈砂池に設置する自動除塵機Ａとして、特に限定されるものではないが、例えば、図示するように、該沈砂池の水路を遮り、かつ後傾するようにして設置するバースクリーン１と、該バースクリーン１に沿って移動するレーキ装置２とより構成する。
【００１７】
このレーキ装置２は、上下に対設する駆動用のスプロケットホイール２ａと、従動スプロケットホイール２ｂとの間にエンドレスのチェン２１を張架し、該エンドレスのチェン２１を水路の底部よりバースクリーン１の上方位置までを移動できるようにするとともに、該エンドレスのチェン２１をバースクリーン１の上流側に配設し、かつ定間隔で複数のレーキ２２を突設し、該レーキ２２の移動往路にてレーキ先端部がバースクリーン１の目に挿入され、バースクリーン１にて捕捉されるゴミをバースクリーン１に沿って掻き揚げ、排出シュート３を経て外部へ排出するようにしている。
この場合、図１に示すように、水路のバースクリーン１より上流側の水深Ｈ１は下流側（流出側）の水深Ｈ２よりスクリーン水位差Ｈ３分だけ浅くなる。なお、Ｈは水路の深さ、Ｗは水路幅を示す。
なお、水路の流入下水がすべてバースクリーン１を流通するように、必要に応じて、図２に示すように、水路内壁面とバースクリーン１側端部間にガイド４、４を配設することができる。
【００１８】
また、バースクリーン１の背面位置となる下流側には、該バースクリーン１を自動的に洗浄できるようにした洗浄装置５を配設する。
この洗浄装置５は、図２に示すように、自走式とした給水可能なヘッダ５１と、バースクリーンの背面側に洗浄水を噴射するようにヘッダ５１に配設した複数の洗浄ノズル５２とより構成する。この移動可能なヘッダ５１の内部に給水ホース６を介して給水できるよう空洞、例えば、図示のようにパイプ状とするとともに、このヘッダ５１に自走装置５Ａを配設する。
なお、この複数の洗浄ノズル５２は、バースクリーンの背面側で、かつバースクリーンの全幅に亘って清掃できるように洗浄水を噴射するように配列、配設するようにする。
【００１９】
この自走装置５Ａは、移動可能なヘッダ５１の本体両端部に突設するガイド軸５７、５７の軸端にそれぞれ回動可能に取り付けたガイドローラ５３、５３と、ヘッダ５１の一端或いは両端部に配設する駆動用のピニオン５４と、また水路内壁面或いは適当な箇所に配設固定するガイドレール５５及び移動補助具、例えば、ラック５６とより構成し、これによりガイドローラ５３がガイドレール５５に導かれ、ピニオン５４を移動補助具、例えば、ラック５６に噛合するようにする。
【００２０】
なお、このガイドレール５５及び移動補助具、例えば、ラック５６とは、移動可能なヘッダ５１がバースクリーン１の全長に亘って移動するよう、水路内壁面或いは適当な箇所に配設固定されるガイドレール５５とラック５６とは平行するようにして配設する。
これにより、ピニオン５４をヘッダ５１に備えた駆動用モータ５８などの原動機の駆動によりピニオン５４がラック５６と噛合しつつラック５６に沿って移動することでヘッダ５１は移動するようにする。
また、駆動用モータ５８の姿勢保持のため、必要に応じて、駆動用モータ５８とヘッダ５１の端部とを、トルクアーム５９により強固に接続するようにする。
【００２１】
また、洗浄装置５のヘッダ５１に接続する給水ホース６は、ヘッダ５１がバースクリーン１に沿って移動する際も弛んだり、必要以上に緊張したりしないように、常に一定の緊張度にて給水ホース６がヘッダ５１の移動に追随して巻き戻し或いは巻き取られるようホースリール６０にて巻き取られるようにし、この給水ホース６の他端側を給水栓７に接続する。
【００２２】
次に、本発明のバースクリーンの自動洗浄装置の作用について説明する。
水路を横切るように設置したバースクリーン１にて水路に流入する汚水中のゴミを捕捉除去する場合、洗浄装置５の全体は、移動可能なヘッダ５１がバースクリーンの最上部にあたる位置にて待機させておく。
したがって、この洗浄装置５の待機位置は、図１に示すように、ゴミ等の付着を未然に防止するため、水路の水面ＷＬよりも上位位置となるようにする。これにより、洗浄装置５への不必要なゴミの付着を未然に防止し、かつ自動洗浄装置の保守点検をしやすくするようにする。このとき、余分の給水ホース６はホースリール６０にて巻き取られるようになっている。
【００２３】
バースクリーン１にゴミ８の付着、油脂分９の付着などにて目詰まりなどが生じ、清掃を必要とすると、沈砂池内の汚水をすべて排水した後、洗浄装置５の待機位置より駆動してバースクリーン１に沿って降下するようにする。このとき、給水ホース６より移動可能なヘッダ５１に給水ホース６を介して給水すると、パイプ状のヘッダ５１の本体内に給水され、複数の洗浄ノズル５２、５２より洗浄水が噴射される。
このとき、洗浄装置５にはバースクリーンの幅方向全幅に亘って清掃できるよう複数の洗浄ノズルを備えているので、ヘッダ５１の移動に伴って順次ホースリール６０より繰り出される給水ホース６を介して給水され、洗浄装置５がバースクリーン１に沿ってその上部位置から下部位置へ移動することでバースクリーン１の全長に亘って清掃されるものとなる。
【００２４】
この洗浄装置５の移動は、ヘッダ５１に備えた駆動用モータ５８を駆動することによりラック５６と噛合したピニオン５４が回転することでピニオン５４はラック５６に沿って移動し、これによりヘッダ５１は移動する。この場合、ヘッダ５１はガイドローラ５３にてガイドレール５５にも導かれて、バースクリーン１に対して平行姿勢を保って移動するものとなる。
【００２５】
このようにして、洗浄装置５がバースクリーン１の下部位置に達したとき、バースクリーン１の全長に亘る清掃が終了する。そして、その後洗浄装置５を下降時と反対方向に駆動することで、洗浄装置５の上昇に追随して給水ホース６をホースリール６０に巻き取るようにして洗浄装置５はバースクリーン１に沿って上昇し、待機位置で停止させる。
なお、この洗浄装置５の１往復での清掃作業では十分に清掃できない場合は、この動作を繰り返すことができる。
【００２６】
また、バースクリーン１に油脂分が付着して常温の洗浄水では洗浄できない場合、供給する洗浄水を油脂分が溶解しやすい温度まで加温するか、或いは洗浄剤を添加することもできる。
【００２７】
以上、本発明のバースクリーンの自動洗浄装置について、実施例に基づいて説明したが、本発明は上記実施例に記載した構成に限定されるものではなく、その趣旨を逸脱しない範囲において適宜その構成を変更することができるものである。
【産業上の利用可能性】
【００２８】
本発明のバースクリーンの自動洗浄装置は、バースクリーンに近い位置で洗浄し、かつその清掃作業を無人化するようにして作業環境の改善を図るとともに、より確実な洗浄を行えるという特性を有していることから、下水処理装置の自動除塵機の用途に好適に用いることができる。
【図面の簡単な説明】
【００２９】
【図１】本発明のバースクリーンの自動洗浄装置の一実施例を示す縦断面図である。
【図２】自動洗浄装置部の拡大断面図である。
【図３】従来のバースクリーンを示す断面図である。
【図４】人手作業による清掃作業の説明図である。
【符号の説明】
【００３０】
Ａ    自動除塵機
１    バースクリーン
２    レーキ装置
５    洗浄装置
５Ａ  自走装置
５１  移動可能なヘッダ
５２  洗浄ノズル
５３  ガイドローラ
５４  駆動用のピニオン
５５  ガイドレール
５６  ラック（移動補助具）
５７  ガイド軸
５８  駆動用モータ
５９  トルクアーム
６    給水ホース
６０  ホースリール
【図１】
0004846746.tif 000002
【図２】
0004846746.tif 000003
【図３】
0004846746.tif 000004
【図４】
0004846746.tif 000005